(57)【特許請求の範囲】
【請求項１】
第１の孔及び収納部を有するケースと、このケースの収納部内に配設された回転型電気部品と、非円形の第２の孔を有し前記回転型電気部品に備えられて回転可能に保持された回転体と、この回転体を前記第２の孔を介して回転操作すると共に該回転体と同一方向へ回転可能な操作部材と、前記収納部内に配設され、前記操作部材により操作されるプッシュスイッチとを備え、前記収納部内に、前記操作部材の回転軸線に対して直角方向には傾倒可能で、前記回転軸線を中心として回転する方向には回転不能に配設された駆動部材を設け、この駆動部材に前記操作部材を前記回転軸線を中心として回転する方向に回転可能に保持させ、前記ケースの前記第１の孔から外方へ突出して配置された前記操作部材の側面側を回転操作することにより、前記操作部材が前記回転軸線を中心として回転して、前記回転型電気部品の前記回転体を回転操作すると共に、前記回転軸線に対する直角方向への前記操作部材の押圧動作によって、前記操作部材が前記回転体を支点として傾倒して前記駆動部材を介して前記プッシュスイッチを押圧操作するようにしたことを特徴とする入力装置。
【請求項２】
前記駆動部材の一端側は、前記プッシュスイッチに対向させると共に、前記駆動部材の他端側は、前記操作部材の中心部に設けた第３の孔に嵌合されて、前記他端側によって前記操作部材が回転可能に保持されたことを特徴とする請求項１記載の入力装置。
【請求項３】
前記駆動部材の前記一端側には平坦面からなる切り欠き部を設け、この切り欠き部の前記平坦面と前記プッシュスイッチの押し釦とを対向させて前記プッシュスイッチを前記収納部内に配置したことを特徴とする請求項２記載の入力装置。
【発明の詳細な説明】
【０００１】
【発明の属する技術分野】
本発明はラジオ、ＣＤレコーダ、自動車のナビゲーション等に使用して好適な入力装置に関する。
【０００２】
【従来の技術】
従来の入力装置は、出願中である特願平１１−１３３３００号に記載され、本願の図３，図４に示すように、孔５１ａを有するプリント基板５１には、回転型電気部品Ｋ２が取り付けられている。
この回転型電気部品Ｋ２は、固定接点５２を取り付けた絶縁基体５３と、プリント基板５１に取り付けられた取付板５４と、非円形の孔５５ａを有し、絶縁基体５３と取付板５４とによって回転可能に保持された回転体５５と、この回転体５５に取り付けられて固定接点５２に接離する可動接点５６とで構成されている。
そして、この回転型電気部品Ｋ２は、取付板５４と固定接点５２の端子部がプリント基板５１に半田付けされて取り付けられている。
【０００３】
プッシュスイッチＳ２は、可動接点、及び固定接点（図示せず）を内蔵したケース５７と、ケース５７に移動可能に取り付けられた押し釦５８とで構成され、このプッシュスイッチＳ２は、押し釦５８の上下動によって、接点の切換が行われると共に、このプッシュスイッチＳ２は、プリント基板５１に適宜手段により取り付けられて、孔５１ａを挟んで回転型電気部品Ｋ２と対向して配置されている。
【０００４】
非円形の棒状の軸５９は、一端部５９ａが回転体５５の孔５５ａに嵌合され、また、他端部５９ｂがケース５７の取付部５７ａに挟持されて、回転体５５と取付部５７ａとの間に橋架された状態となっている。
筒状の作動部６０は、その中心部に軸５９の他端部５９ｂを圧入して、軸５９に取り付けられ、そして、この作動部６０を取り付けた軸５９がケース５７に組み込まれた際、作動部６０の外周面に押し釦５８が当接すると共に、ケース５７と作動部６０との間に配設されたコイルバネ６１によって、作動部６０と軸５９の他端部５９ｂが上方に弾圧された状態となっている。
【０００５】
合成樹脂の成型品等からなる操作部材６２は、その中心部に軸５９を圧入して、軸５９に取り付けられ、そして、この操作部材６２を取り付けた軸５９がケース５７に組み込まれた際、操作部材６２の一部が孔５１ａに位置したものとなっている。
また、操作部材６２は、その回転軸線Ｇ２を中心として回転可能となっていると共に、この操作部材６２は、回転軸線Ｇ２に対して直角方向の側面前方側（図３の上方）から操作可能となっている。
【０００６】
そして、操作部材６２を回転操作した際、軸５９を介して回転体５５が回転して、回転型電気部品Ｋ２が操作されると共に、操作部材６２が回転軸線Ｇ２に対して直角方向の矢印Ｚ２方向に押圧された際、軸５９と共に操作部材６２が傾倒して、プッシュスイッチＳ２の接点の切換が行われるようになっている。
また、軸５９の傾倒時、回転体５５の孔５５ａは、軸５９の傾きを許容できる形状となっている。
【０００７】
次に、従来の入力装置の動作を説明すると、先ず、図３に示す状態で、操作部材６２を回転すると、軸５９を介して回転体５５が回転し、その結果、可動接点５６が固定接点５２に接離して、パルス信号を発生するようになる。
この時、作動部６０は軸５９と共に回転して、押し釦５８との間で摺動動作を行うようになる。
【０００８】
次に、図３の状態で、回転軸線Ｇ２に対して直角方向の矢印Ｚ２方向に操作部材６２を押圧すると、軸５９が一端部５９ａ側を支点として軸５９と共に操作部材６２の傾倒し、軸５９の他端部５９ｂ側の作動部６０がコイルバネ６１に抗して下方に移動し、その結果、図４に示すように、押し釦５８が押されて、プッシュスイッチＳ２の接点の切換が行われる。
【０００９】
そして、操作部材６２の押圧動作を解除すると、コイルバネ６１により作動部６０、軸５９，及び操作部材６２が図３の元の状態に押し戻されるようになると共に、押し釦５８が自己復帰する。
このようにして従来の入力装置の動作が行われるものである。
【００１０】
【発明が解決しようとする課題】
従来の入力装置は、軸５９の他に、プッシュスイッチＳ２を操作するための作動部６０を必要とし、部品点数が多くなって、コスト高になるばかりか、組立性が悪くなるという問題がある。
また、操作部材６２と作動部６０がそれぞれ軸５９に圧入されるため、その組立性が悪く、コスト高になるという問題がある。
また、操作部材６２が回転した時、軸５９の回転に伴って作動部６０が回転して、作動部６０とプッシュスイッチＳ２の押し釦５８との間で摺動動作が生じるという問題がある。
また、回転軸線Ｇ２より前方側（図３の上方）において、作動部６０と押し釦５８の当接面を位置させることができず、プッシュスイッチＳ２の配置に制約があり、設計の自由度が少ないという問題がある。
【００１１】
そこで、本発明は部品点数が少なく、安価で、組立性の良好な入力装置を提供することを目的とする。
【００１２】
【課題を解決するための手段】
上記課題を解決するための第１の解決手段として、第１の孔及び収納部を有するケースと、このケースの収納部内に配設された回転型電気部品と、非円形の第２の孔を有し前記回転型電気部品に備えられて回転可能に保持された回転体と、この回転体を前記第２の孔を介して回転操作すると共に該回転体と同一方向へ回転可能な操作部材と、前記収納部内に配設され、前記操作部材により操作されるプッシュスイッチとを備え、前記収納部内に、前記操作部材の回転軸線に対して直角方向には傾倒可能で、前記回転軸線を中心として回転する方向には回転不能に配設された駆動部材を設け、この駆動部材に前記操作部材を前記回転軸線を中心として回転する方向に回転可能に保持させ、前記ケースの前記第１の孔から外方へ突出して配置された前記操作部材の側面側を回転操作することにより、前記操作部材が前記回転軸線を中心として回転して、前記回転型電気部品の前記回転体を回転操作すると共に、前記回転軸線に対する直角方向への前記操作部材の押圧動作によって、前記操作部材が前記回転体を支点として傾倒して前記駆動部材を介して前記プッシュスイッチを押圧操作するようにした構成とした。
【００１３】
また、第２の解決手段として、前記駆動部材の一端側は、前記プッシュスイッチに対向させると共に、前記駆動部材の他端側は、前記操作部材の中心部に設けた第３の孔に嵌合されて、前記他端側によって前記操作部材が回転可能に保持された構成とした。
【００１５】
また、第３の解決手段として、前記駆動部材の前記一端側には平坦面からなる切り欠き部を設け、この切り欠き部の前記平坦面と前記プッシュスイッチの押し釦とを対向させて前記プッシュスイッチを前記収納部内に配置した構成とした。
【００１６】
【発明の実施の形態】
本発明の入力装置の図面を説明すると、図１は本発明の入力装置の要部の断面図、図２は本発明の入力装置に係り、操作部材と駆動部材の分解斜視図である。
次に、本発明の入力装置の構成を図１，図に基づいて説明すると、合成樹脂の成型品等からなる板状の取付部材１は、板状部１ａと、この板状部１ａから突出した台座部１ｂとを有し、板状部１ａ上には、第１のプリント基板２が取り付けられると共に、台座部１ｂ上には、第２のプリント基板３が取り付けられている。
【００１７】
合成樹脂の成型品等からなるケース４は、上部壁４ａに設けられた矩形状の孔４ｂと、この孔４ｂの一方に隣接して上部壁４ａの内部側に設けられ、第１の収納部４ｃを形成する一対の直立壁４ｄと、孔４ｂ側の直立壁４ｄに設けられた切り欠きからなる挿通部４ｅと、孔４ｂの他方に隣接して設けられた半円筒状の第２の収納部４ｆとを有し、そして、このケース４は、第１，第２のプリント基板２，３を覆うように配置されて、取付部材１に組み合わされた構成となっている。
【００１８】
回転型電気部品Ｋ１は、固定接点５を取り付けた絶縁基体６と、第１のプリント基板２に取り付けられた取付板７と、非円形の孔８ａを有し、絶縁基体６と取付板７とによって回転可能に保持された回転体８と、この回転体８に取り付けられて固定接点５に接離する可動接点９とで構成されている。
そして、この回転型電気部品Ｋ１は、取付板７と固定接点５の端子部が第１のプリント基板２に半田付けされて取り付けられると共に、この回転型電気部品Ｋ１は、ケース４の第１の収納部４ｃ内に位置して配設されている。
【００１９】
プッシュスイッチＳ１は、可動接点、及び固定接点（図示せず）を内蔵した筺体１０と、筺体１０に移動可能に取り付けられた押し釦１１とで構成され、このプッシュスイッチＳ１は、押し釦１１の上下動によって、接点の切換が行われると共に、このプッシュスイッチＳ１は、第２のプリント基板３に適宜手段により取り付けられて、孔４ｂを挟んで回転型電気部品Ｋ１と対向して配置されている。
また、プッシュスイッチＳ１は、取付部材１の台座部１ｂの上部に位置した状態で、第２のプリント基板３に取り付けられると共に、このプッシュスイッチＳ１は、ケース４の第２の収納部４ｆ内に位置して配設されている。
【００２０】
合成樹脂の成型品等からなる操作部材１２は、中心部に孔１２ａを有する大径の円筒からなる筒状部１２ｂと、この筒状部１２ｂの一端に連結され、中心部において孔１２ａに連通した孔１２ｃを有する小径の円筒からなる非円形の軸部１２ｄとを有する。
そして、この操作部材１２は、軸部１２ｄを回転体８の孔８ａに嵌合され、筒状部１２ｂが孔４ｂ内に位置すると共に、筒状部１２ｂの側面前方側が孔４ｂから外方に突出して配置され、操作部材１２の側面前方側を回転操作することにより、操作部材１２がその回転軸線Ｇ１を中心として回転して、回転型電気部品Ｋ１を操作するようになっている。
【００２１】
合成樹脂の成型品等からなる駆動部材１３は、下部に平坦面からなる切り欠き部１３ａを設けた一端側である半円柱状の作動部１３ｂと、この作動部１３ｂに連結された円柱状の大径部１３ｃと、この大径部１３ｃの一端側の中心部に連結された円柱状の小径部１３ｄとを有する。
そして、この駆動部材１３は、作動部１３ｂがケース４の第２の収納部４ｆに収納されると共に、この作動部１３ｂがケース４によって回転不能に保持され、また、大径部１３ｃが操作部材１２の孔１２ａに嵌合すると共に、小径部１３ｄが操作部材１２の孔１２ｃに嵌合した状態となっている。
【００２２】
このようにして駆動部材１３が取り付けられた際、回転軸線Ｇ１に比べて、切り欠き部１３ａの平坦面が前方（図１の上方）に位置した状態で、作動部１３ｂの切り欠き部１３ａの下部にはプッシュスイッチＳ１が配置され、押し釦１１が作動部１３ｂに当接すると共に、回転軸線Ｇ１に対して直角方向の側面前方側から操作部材１２を回転すると、操作部材１２は大径部１３ｂと小径部１３ｄをガイドにして回転可能となっている。
【００２３】
また、回転軸線Ｇ１に対して直角方向の矢印Ｚ１方向に操作部材１２を押圧すると、操作部材１２は駆動部材１３、回転体８を伴って、回転体８を支点として傾斜線Ｙの位置に傾倒して、これによって、駆動部材１３を介してプッシュスイッチＳ１の接点の切換が行われるようになっている。
また、操作部材１２の傾倒時、回転体８は、絶縁基体６に対して所定のクリアランスを有しており、操作部材１２の軸部１２ｄの傾きを許容できるようになっている。
【００２４】
次に、本発明の入力装置の動作を説明すると、先ず、図１に示す状態で、操作部材１２を側面前方側で回転すると、操作部材１２は大径部１３ｃと小径部１３ｄとをガイドにして回転すると共に、軸部１２ｄを介して回転体８が回転し、その結果、可動接点９が固定接点５に接離して、パルス信号を発生するようになる。
この時、駆動部材１３はケース４によって回転不能に保持されているため回転せず、操作部材１２のみが回転するようになる。
【００２５】
次に、図１の状態で、回転軸線Ｇ１に対して直角方向の矢印Ｚ１方向に操作部材１２を押圧すると、操作部材１２は駆動部材１３、及び回転体８を伴って傾斜線Ｙの状態に傾倒し、その結果、駆動部材１３の作動部１３ｂによって押し釦１１が押されて、プッシュスイッチＳ１の接点の切換が行われる。
そして、操作部材１２の押圧動作を解除すると、押し釦１１の復帰力によって駆動部材１３が押し戻されると共に、操作部材１２も元の状態に復帰する。
このようにして本発明の入力装置の動作が行われるものである。
【００２６】
【発明の効果】
本発明の入力装置は、操作部材１２を回転可能に保持すると共に、プッシュスイッチＳ１を操作する駆動部材１３を設けた構成であるため、従来に比して、部品点数を少なくできて、組立性が良く、安価な入力装置を提供できる。
また、駆動部材１３とプッシュスイッチＳ１の押し釦１１との間には、従来ような摺動動作が無く、操作部材１２が円滑な回転ができると共に、押し釦１１の摩耗の少ない入力装置を提供できる。
また、プッシュスイッチＳ１を自由に配置することができ、設計の自由度を向上させることができる。
【００２７】
また、駆動部材１３の一端側は、プッシュスイッチＳ１に対向させると共に、駆動部材１３の他端側は、操作部材１２の中心部に設けた孔１２ａに嵌合されて、他端側によって操作部材１２が回転可能に保持されたため、操作部材１２の保持が簡単であると共に、小型の保持構造が得られる。
【００２９】
また、駆動部材１３の一端側には切り欠き部１３ａを設け、この切り欠き部１３ａに対向させてプッシュスイッチＳ１を配置したため、プッシュスイッチＳ１の収納スペースを小さくできて、高さ方向に小型のものが得られる。
【図面の簡単な説明】
【図１】本発明の入力装置の要部の断面図。
【図２】本発明の入力装置に係り、操作部材と駆動部材の分解斜視図。
【図３】従来の入力装置の一部断面正面図。
【図４】従来の入力装置の動作を示す説明図。
【符号の説明】
１ 取付部材
１ａ 板状部
１ｂ 台座部
２ 第１のプリント基板
３ 第２のプリント基板
４ ケース
４ａ 上部壁
４ｂ 孔（第１の孔）
４ｃ 第１の収納部
４ｄ 直立壁
４ｅ 挿通部
４ｆ 第２の収納部
Ｋ１ 回転型電気部品
５ 固定接点
６ 絶縁基体
７ 取付板
８ 回転体
８ａ 孔（第２の孔）
９ 可動接点
Ｓ１ プッシュスイッチ
１０ 筺体
１１ 押し釦
１２ 操作部材
１２ａ 孔（第３の孔）
１２ｂ 筒状部
１２ｃ 孔
１２ｄ 軸部
１３ 駆動部材
１３ａ 切り欠き部
１３ｂ 作動部
１３ｃ 大径部
１３ｄ 小径部
Ｇ１ 回転軸線
Ｙ 傾斜線
【図１】
0003853139.tif 000002
【図２】
0003853139.tif 000003
【図３】
0003853139.tif 000004
【図４】
0003853139.tif 000005